(57)【特許請求の範囲】
【請求項１】
建築物の開口部に設けられ、正面及び背面に長さ方向に延びるように溝部が形成された枠材と、
上記溝部に取り付けられた見切材とを備えた開口部構造であって、
上記見切材は、
上記溝部に嵌合するように角棒状に設けられた嵌合部と、
上記溝部から突出する上記嵌合部の部分に固定され、上記開口部の周囲の壁面に接触するように板状に設けられた板状部とを備え、
上記板状部が固定された上記嵌合部の上記開口部側の角部には、長さ方向に沿って延びるように切欠部が設けられ、
上記板状部、及び該板状部から露出する上記壁面を覆うように壁面仕上材が設けられ、
上記切欠部には、上記壁面仕上材の端部を覆うようにコーキング材が設けられていることを特徴とする開口部構造。
【請求項２】
請求項１に記載された開口部構造において、
上記切欠部は、横断面視でＬ字状に切り欠かれており、
上記壁面仕上材は、上記切欠部の側面を覆うように設けられ、
上記コーキング材は、上記切欠部の底面において、上記壁面仕上材の端部を覆うように設けられていることを特徴とする開口部構造。
【請求項３】
建築物の開口部に設けられ、正面及び背面に長さ方向に延びるように溝部が形成された枠材と、
上記溝部に取り付けられた見切材とを備え、
上記見切材は、
上記溝部に嵌合するように角棒状に設けられた嵌合部と、
上記溝部から突出する上記嵌合部の部分に固定され、上記開口部の周囲の壁面に接触するように板状に設けられた板状部とを備え、
上記板状部が固定された上記嵌合部の上記開口部側の角部には、長さ方向に沿って延びるように切欠部が設けられた開口部構造の施工方法であって、
上記開口部に上記枠材を取り付ける枠材取付工程と、
上記枠材の上記溝部に上記見切材の嵌合部を嵌合させる見切材嵌合工程と、
上記板状部、及び該板状部から露出する上記壁面を覆うように壁面仕上材を施工する壁面仕上工程と、
上記切欠部に上記壁面仕上材の端部を覆うようにコーキング材を注入するコーキング処理工程とを備えることを特徴とする開口部構造の施工方法。
【発明の詳細な説明】
【技術分野】
【０００１】
本発明は、見切材を備えた開口部構造及びその施工方法に関するものである。
【背景技術】
【０００２】
従来より、建築物の開口部に開き戸、引き戸、窓等の建具を取り付ける際には、その建具を支持するための枠材が開口部に設けられている。ここで、建築物の開口部においては、開口部の周囲の壁面と枠材とを繋ぐ部分に見切材を設置することがある。
【０００３】
例えば、特許文献１には、クロスを貼る壁面に使用され、見切の突出量を調節するための溝を有している見切枠本体に用いる見切において、溝に嵌入され、嵌入される量によって突出量を調節する嵌入材と、溝から突出する側にある嵌入材の端面を被覆し、嵌入材の厚みよりも薄いシート状の部材とを備えた見切（見切材）が開示されている。
【先行技術文献】
【特許文献】
【０００４】
【特許文献１】特開２０１７−５３１０８号公報
【発明の概要】
【発明が解決しようとする課題】
【０００５】
ところで、上記特許文献１に開示された見切材を備えた開口部構造において、クロスの端部を見切材の側面に巻き込んで貼り付け、クロスの端部と見切枠本体（枠材）との間にコーキング材を注入する場合には、例えば、開口部に取り付けた建具の開閉動作により、枠材に歪みや変形等が生じて、コーキング切れが発生するおそれがある。
【０００６】
本発明は、かかる点に鑑みてなされたものであり、その目的とするところは、コーキング切れの発生を抑制することにある。
【課題を解決するための手段】
【０００７】
上記目的を達成するために、本発明に係る開口部構造は、建築物の開口部に設けられ、正面及び背面に長さ方向に延びるように溝部が形成された枠材と、上記溝部に取り付けられた見切材とを備えた開口部構造であって、上記見切材は、上記溝部に嵌合するように角棒状に設けられた嵌合部と、上記溝部から突出する上記嵌合部の部分に固定され、上記開口部の周囲の壁面に接触するように板状に設けられた板状部とを備え、上記板状部が固定された上記嵌合部の上記開口部側の角部には、長さ方向に沿って延びるように切欠部が設けられ、上記板状部、及び該板状部から露出する上記壁面を覆うように壁面仕上材が設けられ、上記切欠部には、上記壁面仕上材の端部を覆うようにコーキング材が設けられていることを特徴とする。
【０００８】
上記の構成によれば、見切材は、建築物の開口部に取り付けられた枠材の正面及び背面の溝部に嵌合するように角棒状に設けられた嵌合部を備えているので、建築物の壁の厚さに応じて、枠材の溝部に対する嵌合部の突出量を調節することにより、開口部の周囲の壁面と見切材の表面とを合わせることができる。また、見切材は、溝部から突出する嵌合部の部分に固定されて開口部の周囲の壁面に接触するように板状に設けられた板状部を備え、板状部、及びその板状部から露出する壁面を覆うように壁面仕上材が設けられているので、壁面、枠材及び見切材（嵌合部）に囲まれた空間が遮蔽され、枠材を目立たなくすることができる。さらに、見切材において、板状部が固定された嵌合部の開口部側の角部には、長さ方向に沿って延びるように切欠部が設けられ、切欠部には、壁面仕上材の端部を覆うようにコーキング材が設けられているので、壁面仕上材の端部のめくれを抑制することができる。ここで、コーキング材は、見切材における嵌合部の角部の切欠部において、壁面仕上材の端部を覆うように設けられ、枠材から離間して配置されるので、仮に、開口部に取り付けた建具の開閉動作により、枠材に歪みや変形等が生じても、見切材への影響が少ないため、コーキング切れの発生を抑制することができる。
【０００９】
上記切欠部は、横断面視でＬ字状に切り欠かれており、上記壁面仕上材は、上記切欠部の側面を覆うように設けられ、上記コーキング材は、上記切欠部の底面において、上記壁面仕上材の端部を覆うように設けられていてもよい。
【００１０】
上記の構成によれば、切欠部が横断面視でＬ字状に切り欠かれ、壁面仕上材が切欠部の側面を覆うように設けられているので、壁面仕上材の端部近傍の表面において、見切材の切欠部の端縁に沿って、例えば、定規を当てることによって、壁面仕上材を容易に施工することができる。また、コーキング材が切欠部の底面において壁面仕上材の端部を覆うように設けられているので、壁面仕上材の端部のめくれを抑制することができる。
【００１１】
また、本発明に係る開口部構造の施工方法は、建築物の開口部に設けられ、正面及び背面に長さ方向に延びるように溝部が形成された枠材と、上記溝部に取り付けられた見切材とを備え、上記見切材は、上記溝部に嵌合するように角棒状に設けられた嵌合部と、上記溝部から突出する上記嵌合部の部分に固定され、上記開口部の周囲の壁面に接触するように板状に設けられた板状部とを備え、上記板状部が固定された上記嵌合部の上記開口部側の角部には、長さ方向に沿って延びるように切欠部が設けられた開口部構造の施工方法であって、上記開口部に上記枠材を取り付ける枠材取付工程と、上記枠材の上記溝部に上記見切材の嵌合部を嵌合させる見切材嵌合工程と、上記板状部、及び該板状部から露出する上記壁面を覆うように壁面仕上材を施工する壁面仕上工程と、上記切欠部に上記壁面仕上材の端部を覆うようにコーキング材を注入するコーキング処理工程とを備えることを特徴とする。
【００１２】
上記の方法によれば、見切材は、枠材取付工程で建築物の開口部に取り付ける枠材の正面及び背面の溝部に嵌合するように角棒状に設けられた嵌合部を備えているので、見切材嵌合工程において、建築物の壁の厚さに応じて、枠材の溝部に対する嵌合部の突出量を調節することにより、開口部の周囲の壁面と見切材の表面とを合わせることができる。また、見切材は、溝部から突出する嵌合部の部分に固定されて開口部の周囲の壁面に接触するように板状に設けられた板状部を備えているので、壁面仕上工程において、板状部、及びその板状部から露出する壁面を覆うように壁面仕上材を施工することにより、壁面、枠材及び見切材（嵌合部）に囲まれた空間が遮蔽され、枠材を目立たなくすることができる。さらに、見切材において、板状部が固定された嵌合部の開口部側の角部には、長さ方向に沿って延びるように切欠部が設けられているので、壁面仕上工程において、壁面仕上材を切欠部の内部まで巻き込むように施工し、コーキング処理工程において、壁面仕上材の端部を覆うように切欠部にコーキング材を注入して、壁面仕上材の端部のめくれを抑制することができる。ここで、コーキング材は、板状部が固定された嵌合部の開口部側の角部の切欠部に注入することにより、枠材から離間して配置されるので、仮に、開口部に取り付けた建具の開閉動作により、枠材に歪みや変形等が生じても、見切材への影響が少ないため、コーキング切れの発生を抑制することができる。
【発明の効果】
【００１３】
本発明によれば、見切材において、板状部が固定された嵌合部の開口部側の角部に長さ方向に沿って延びるように切欠部が設けられているので、コーキング切れの発生を抑制することができる。
【図面の簡単な説明】
【００１４】
【図１】本発明の第１の実施形態に係る見切材を備えた開口部構造の斜視図である。
【図２】本発明の第１の実施形態に係る見切材を嵌合させる枠材及びその周囲の構造を示す断面図である。
【図３】本発明の第１の実施形態に係る見切材の斜視図である。
【図４】本発明の第１の実施形態に係る見切材を備えた開口部構造の施工方法を示す斜視図である。
【発明を実施するための形態】
【００１５】
以下、本発明の実施形態を図面に基づいて詳細に説明する。なお、本発明は、以下の各実施形態に限定されるものではない。
【００１６】
《第１の実施形態》
図１〜図４は、本発明に係る見切材、それを備えた開口部構造及びその施工方法の第１の実施形態を示している。ここで、図１は、本実施形態の見切材２０を備えた開口部構造５０の斜視図である。また、図２は、見切材２０を嵌合させる枠材１０及びその周囲の構造を示す断面図である。また、図３は、見切材２０の斜視図である。
【００１７】
開口部構造５０は、図１及び図２に示すように、建築物の矩形状の開口部Ｍの３辺に取り付けられた３方の枠材１０と、３方の枠材１０の開口部Ｍ側の側面に取り付けられた戸当材１１と、枠材（一方の縦枠）１０の開口部Ｍ側の側面に蝶番を介して取り付けられたドア１２と、３方の枠材１０の正面Ｆａ及び背面Ｆｂに取り付けられた一対の見切材２０とを備えている。ここで、開口部Ｍの周囲には、図２に示すように、互いに平行に直立するように一対の柱３０が設けられ、一対の柱３０の間にまぐさ（不図示）が設けられている。さらに、一対の柱３０及びまぐさの表面（正面／背面）には、図１及び図２に示すように、石膏ボート等の壁材３１が、例えば、接着材及びピンタッカーを用いて、貼り付けられている。
【００１８】
枠材１０は、例えば、木材、合板、中密度繊維板、パーティクルボード、集成材等の木質材料により構成され、図１及び図２に示すように、その正面及び背面に長さ方向に延びるように溝部Ｇが形成されている。また、枠材１０は、例えば、接着材及びピンタッカーを用いて、飼い木２５を介して、一対の柱３０（及びまぐさ）に固定されている。ここで、枠材１０は、上枠及び一対の縦枠の３方の枠を構成している。
【００１９】
戸当材１１は、例えば、ＡＢＳ（Acrylonitrile Butadiene Styrene）樹脂等の樹脂材料により中空に設けられている。
【００２０】
見切材２０は、図１〜図３に示すように、溝部Ｇに嵌合するように角棒状に設けられた嵌合部１５と、溝部Ｇから突出する嵌合部１５の部分に固定されて板状に設けられた板状部１６と、嵌合部１５の開口部Ｍ側の表面に設けられた樹脂層１７とを備えている。
【００２１】
嵌合部１５は、例えば、木材、合板、中密度繊維板、パーティクルボード、集成材等の木質材料により構成されている。また、板状部１６が固定された嵌合部１５の開口部Ｍ側の角部Ｃには、図３に示すように、長さ方向に沿って延びるように切欠部Ｎが設けられている。ここで、切欠部Ｎは、図２に示すように、横断面視でＬ字状に切り欠かれている。また、切欠部Ｎの底面Ｂには、図１に示すように、クロス４２の端部を覆うようにコーキング材４５が設けられている。
【００２２】
板状部１６は、例えば、ポリ塩化ビニル樹脂等の樹脂材料により構成され、図１及び図２に示すように、開口部Ｍの周囲の壁面、すなわち、壁材３１の壁面Ｗに接触するように設けられている。また、板状部１６の嵌合部１５に固定されていない部分には、図３に示すように、複数の貫通孔Ｈが設けられている。さらに、板状部１６の表面、及び板状部１６から露出する壁材３１の壁面Ｗには、それらを覆うように、壁面仕上材として、クロス４２がパテ４１を介して貼り付けられている。ここで、クロス４２は、例えば、ポリ塩化ビニル樹脂等の樹脂材料により構成され、図１に示すように、切欠部Ｎの側面Ｓを覆うように設けられている。
【００２３】
なお、本実施形態では、嵌合部１５及び板状部１６が異なる材料により別体に設けられた構成を例示したが、例えば、樹脂材料の押出成形により、嵌合部１５及び板状部１６が同じ材料で一体に設けられていてもよい。
【００２４】
樹脂層１７は、図３に示すように、切欠部Ｎの側面Ｓ及び底面Ｂにも設けられ、例えば、押出成形により、板状部１６と一体に形成され、クロス４２と同系色の樹脂材料により構成されている。ここで、切欠部Ｎの側面Ｓにおける樹脂層１７の表面には、クロス４２との密着性を向上させるために、クラフト紙を貼り付けてもよい。なお、本実施形態では、板状部１６と一体に形成された樹脂層１７を例示したが、樹脂層１７は、板状部１６に繋がるように設けられたクロス４２と同系色の樹脂シート（例えば、オレフィン樹脂シート等）や他の樹脂により形成されていてもよい。さらに、このように、樹脂層１７が板状部１６と一体に形成されていない場合には、樹脂層１７を枠材１０と同系色の樹脂材料により構成してもよい。
【００２５】
上述した開口部構造５０は、例えば、建築物の室内において、開口部Ｍの周囲の壁の厚さに応じて、枠材１０の溝部Ｇに対する嵌合部１５の突出量を調節することにより、開口部Ｍの周囲の壁面Ｗと見切材２０の表面とを面一又は略面一に合わせるように構成され、汎用性を有している。
【００２６】
次に、本実施形態の開口部構造５０の施工方法について説明する。ここで、図４の開口部構造５０の施工方法を示す斜視図である。なお、本実施形態の開口部構造５０の施工方法は、枠材取付工程、見切材嵌合工程、壁面仕上工程及びコーキング処理工程を備える。
【００２７】
＜枠材取付工程＞
開口部Ｍに設けられた一対の柱３０（及びまぐさ）に、例えば、接着材及びピンタッカーを用いて、飼い木２５を介して、一対の縦枠（及び上枠）を固定することにより、開口部Ｍに枠材１０を取り付ける。
【００２８】
＜見切材嵌合工程＞
上記枠材取付工程で取り付けた３方の枠材１０の各溝部Ｇに、図４に示すように、見切材２０の嵌合部１５を嵌合させ、開口部Ｍの周囲の壁材３１の壁面Ｗに見切材２０の板状部１６を接触させるように溝部Ｇに対する嵌合部１５の突出量を調節した後に、例えば、接着材を用いて、各溝部Ｇに見切材２０の嵌合部１５を固定する。
【００２９】
＜壁面仕上工程＞
上記見切材嵌合工程で嵌合部１５を固定した見切り材２０の板状部１６の表面及び開口部Ｍの周囲の壁材３１の壁面Ｗにパテ４１を複数回塗布して、下地処理を行った後に、板状部１６、及び板状部１６から露出する壁面Ｗを覆うように、クロス４２を貼り付けることにより、壁面仕上材を施工する。ここで、クロス４２を貼り付ける際には、クロス４２の端部が見切材２０の切欠部Ｎの側面Ｓを覆うように、図４に示すように、クロス４２を切欠部Ｎの内部まで巻き込んだ状態に施工する。
【００３０】
＜コーキング処理工程＞
上記壁面仕上工程で貼り付けたクロス４２の端部を覆うように、見切材２０の切欠部Ｎの底面Ｂに、例えば、変成アクリル樹脂等からなるコーキング材４５（図１参照）を注入する。その後、枠材１０に戸当材１１及びドア１２等を取り付ける。
【００３１】
以上のようにして、本実施形態の開口部構造５０を施工することができる。
【００３２】
以上説明したように、本実施形態の見切材２０、それを備えた開口部構造５０及びその施工方法によれば、見切材２０は、枠材取付工程で建築物の開口部Ｍに取り付ける枠材１０の正面Ｆａ及び背面Ｆｂの溝部Ｇに嵌合するように角棒状に設けられた嵌合部１５を備えているので、見切材嵌合工程において、建築物の壁の厚さに応じて、枠材１０の溝部Ｇに対する嵌合部１５の突出量を調節することにより、開口部Ｍの周囲の壁面Ｗと見切材２０の表面とを合わせることができる。また、見切材２０は、溝部Ｇから突出する嵌合部１５の部分に固定されて開口部Ｍの周囲の壁面Ｗに接触するように板状に設けられた板状部１６を備えているので、壁面仕上工程において、板状部１６、及び板状部１６から露出する壁面Ｗを覆うようにクロス４２を施工することにより、壁面Ｗ、枠材１０及び見切材２０（嵌合部１５）に囲まれた空間が遮蔽され、枠材１０を目立たなくすることができる。さらに、見切材２０において、板状部１６が固定された嵌合部１５の開口部側の角部Ｃには、長さ方向に沿って延びるように切欠部Ｎが設けられているので、壁面仕上工程において、クロス４２を切欠部Ｎの内部まで巻き込むように施工し、コーキング処理工程において、クロス４２の端部を覆うように切欠部Ｎにコーキング材４５を注入して、クロス４２の端部のめくれを抑制することができる。ここで、コーキング材４５は、板状部１６が固定された嵌合部１５の開口部Ｍ側の角部Ｃの切欠部Ｎに注入することにより、枠材１０から離間して配置されるので、仮に、開口部Ｍに取り付けたドア１２の開閉動作により、枠材１０に歪みや変形等が生じても、見切材２０への影響が少ないため、コーキング切れの発生を抑制することができる。
【００３３】
また、本実施形態の見切材２０、それを備えた開口部構造５０及びその施工方法によれば、嵌合部１５の開口部Ｍ側の表面に樹脂層１７が設けられているので、嵌合部１５自体が樹脂層１７により遮蔽され、見映えを良くすることができる。
【００３４】
また、本実施形態の見切材２０、それを備えた開口部構造５０及びその施工方法によれば、板状部１６の嵌合部１５に固定されていない部分に複数の貫通孔Ｈが設けられているので、壁材３１の壁面Ｗと板状部１６との密着性を向上させることができる。
【００３５】
《その他の実施形態》
上記第１の実施形態では、左右の縦枠及び上枠の３方の枠材を備えた開口部構造を例示したが、本発明は、左右の縦枠、上枠及び下枠の４方の枠材を備えた開口部構造にも適用することができる。
【００３６】
上記第１の実施形態では、開き戸に対する開口部構造を例示したが、本発明は、引き戸や窓等のその他の建具に対する開口部構造にも適用することができる。
【００３７】
上記第１の実施形態では、壁面仕上材としてクロスが施工された開口部構造を例示したが、本発明は、壁面仕上材として塗り壁が施工された開口部構造にも適用することができる。
【産業上の利用可能性】
【００３８】
以上説明したように、本発明は、コーキング切れの発生を抑制することができるので、極めて有用である。
【符号の説明】
【００３９】
Ｂ      （切欠部の）底面
Ｃ      角部
Ｆａ    正面
Ｆｂ    背面
Ｇ      溝部
Ｈ      貫通孔
Ｍ      開口部
Ｎ      切欠部
Ｓ      （切欠部の）側面
Ｗ      壁面
１０    枠材
１５    嵌合部
１６    板状部
１７    樹脂層
２０    見切材
４２    クロス（壁面仕上材）
４５    コーキング材
５０    開口部構造
【図１】
0006923598.tif 000002
【図２】
0006923598.tif 000003
【図３】
0006923598.tif 000004
【図４】
0006923598.tif 000005